(57)【要約】【課題】携帯端末装置のバックアップ機能を有する通信システム、外部記憶装置、充電装置、通信方法、及び通信プログラムを提供する。【解決手段】携帯端末装置１００は、自装置固有の識別情報をＲＦＩＤ部４よりアンテナ５を介して充電装置２００へ発信する（ステップＳ３０５）。充電装置は、アンテナ２８を介して携帯端末装置１００固有の識別情報を受信し（ステップＳ３０６）、記憶部２４に格納されている識別情報と、受信した識別情報とが一致するか否かを判断する（ステップＳ３０７）。記憶部２４に格納された識別情報と、受信した識別情報とが一致した場合は（ステップＳ３０７／ＹＥＳ）、記憶部２４のデータの読み出し・書き込み動作が実行される（ステップＳ３０８）。【選択図】図１
2007249305.tif 000002
【特許請求の範囲】
【請求項１】
無線通信を行う無線通信部、及び所定情報を記憶するメモリを有する携帯端末装置と、前記所定情報の書き換え可能なＲＦＩＤ部、前記ＲＦＩＤ部のアンテナ、及び前記所定情報をバックアップする第１の記憶手段を有する外部記憶装置とを有する通信システムにおいて、
前記外部記憶装置は、
前記携帯端末装置固有の識別情報を記憶する第２の記憶手段と、
前記無線通信部と無線通信を行うとき、前記アンテナによって受信した前記携帯端末装置固有の識別情報と、前記第２の記憶手段に記憶された識別情報とが一致するか否かを判断する判断手段とを有し、
前記判断手段によって、前記アンテナによって受信した識別情報と前記第２の記憶手段に記憶された識別情報とが一致すると判断されたとき、前記ＲＦＩＤ部は、前記アンテナによって受信した所定情報を前記記憶手段に格納することを特徴とする通信システム。
【請求項２】
前記外部記憶装置は、
前記判断手段によって、前記アンテナによって受信した識別情報と前記第２の記憶手段に記憶された識別情報とが一致すると判断されたとき、前記ＲＦＩＤ部は前記アンテナを介して前記第１の記憶手段に記憶された前記所定情報を前記携帯端末装置に送信することを特徴とする請求項１記載の通信システム。
【請求項３】
前記外部記憶装置は、
前記第１の記憶手段を初期化するとき、
前記ＲＦＩＤ部は前記アンテナから所定周波数の電波を発信して前記携帯端末装置固有の識別情報の送信を要求し、
前記アンテナによって受信した前記携帯端末装置固有の識別情報により前記第２の記憶手段に記憶された前記識別情報を更新し、
前記第１の記憶手段を初期化することを特徴とする請求項１又は２記載の通信システム。
【請求項４】
無線通信を行う無線通信部、及び所定情報を記憶するメモリを有する携帯端末装置と、前記所定情報の書き換え可能なＲＦＩＤ部、前記ＲＦＩＤ部のアンテナ、及び前記所定情報をバックアップする第１の記憶手段を有する充電装置とを有する通信システムにおいて、
前記充電装置は、
前記携帯端末装置固有の識別情報を記憶する第２の記憶手段と、
前記無線通信部と無線通信を行うとき、前記アンテナによって受信した前記携帯端末装置固有の識別情報と、前記第２の記憶手段に記憶された識別情報とが一致するか否かを判断する判断手段とを有し、
前記判断手段によって、前記アンテナによって受信した識別情報と前記第２の記憶手段に記憶された識別情報とが一致すると判断されたとき、前記ＲＦＩＤ部は、前記アンテナによって受信した所定情報を前記記憶手段に格納することを特徴とする通信システム。
【請求項５】
前記充電装置は、
前記判断手段によって、前記アンテナによって受信した識別情報と前記第２の記憶手段に記憶された識別情報とが一致すると判断されたとき、前記ＲＦＩＤ部は前記アンテナを介して前記第１の記憶手段に記憶された前記所定情報を前記携帯端末装置に送信することを特徴とする請求項４記載の通信システム。
【請求項６】
前記充電装置は、
前記第１の記憶手段を初期化するとき、
前記ＲＦＩＤ部は前記アンテナから所定周波数の電波を発信して前記携帯端末装置固有の識別情報の送信を要求し、
前記アンテナによって受信した前記携帯端末装置固有の識別情報により前記第２の記憶手段に記憶された前記識別情報を更新し、
前記第１の記憶手段を初期化することを特徴とする請求項４又は５記載の通信システム。
【請求項７】
前記充電装置は、前記アンテナを介して電磁波を放射して前記携帯端末装置に電気を供給する電源供給手段を有し、
前記携帯端末装置は、
前記携帯端末装置に電力を供給する電池と、
前記無線通信部を介して受信した前記電磁波を電気に変換して前記電池を充電する充電制御手段とを有することを特徴とする請求項４から６のいずれか１項記載の通信システム。
【請求項８】
所定情報の書き換え可能なＲＦＩＤ部と、前記ＲＦＩＤ部のアンテナと、前記所定情報をバックアップする第１の記憶手段と有する外部記憶装置において、
携帯端末装置固有の識別情報を記憶する第２の記憶手段と、
前記携帯端末装置と無線通信を行うとき、前記アンテナによって受信した前記携帯端末装置固有の識別情報と、前記第２の記憶手段に記憶された識別情報とが一致するか否かを判断する判断手段とを有し、
前記判断手段によって、前記アンテナによって受信した識別情報と前記第２の記憶手段に記憶された識別情報とが一致すると判断されたとき、前記ＲＦＩＤ部は、前記アンテナによって受信した所定情報を前記記憶手段に格納することを特徴とする外部記憶装置。
【請求項９】
前記判断手段によって、前記アンテナによって受信した識別情報と前記第２の記憶手段に記憶された識別情報とが一致すると判断されたとき、前記ＲＦＩＤ部は前記アンテナを介して前記第１の記憶手段に記憶された前記所定情報を前記携帯端末装置に送信することを特徴とする請求項８記載の外部記憶装置。
【請求項１０】
前記第１の記憶手段を初期化するとき、
前記ＲＦＩＤ部は前記アンテナから所定周波数の電波を発信して前記携帯端末装置固有の識別情報の送信を要求し、
前記アンテナによって受信した前記携帯端末装置固有の識別情報により前記第２の記憶手段に記憶された前記識別情報を更新し、
前記第１の記憶手段を初期化することを特徴とする請求項８又は９記載の外部記憶装置。
【請求項１１】
所定情報の書き換え可能なＲＦＩＤ部と、前記ＲＦＩＤ部のアンテナと、前記所定情報をバックアップする第１の記憶手段と有する充電装置において、
携帯端末装置固有の識別情報を記憶する第２の記憶手段と、
前記携帯端末装置と無線通信を行うとき、前記アンテナによって受信した前記携帯端末装置固有の識別情報と、前記第２の記憶手段に記憶された識別情報とが一致するか否かを判断する判断手段とを有し、
前記判断手段によって、前記アンテナによって受信した識別情報と前記第２の記憶手段に記憶された識別情報とが一致すると判断されたとき、前記ＲＦＩＤ部は、前記アンテナによって受信した所定情報を前記記憶手段に格納することを特徴とする充電装置。
【請求項１２】
前記判断手段によって、前記アンテナによって受信した識別情報と前記第２の記憶手段に記憶された識別情報とが一致すると判断されたとき、前記ＲＦＩＤ部は前記アンテナを介して前記第１の記憶手段に記憶された前記所定情報を前記携帯端末装置に送信することを特徴とする請求項１１記載の充電装置。
【請求項１３】
前記第１の記憶手段を初期化するとき、
前記ＲＦＩＤ部は前記アンテナから所定周波数の電波を発信して前記携帯端末装置固有の識別情報の送信を要求し、
前記アンテナによって受信した前記携帯端末装置固有の識別情報により前記第２の記憶手段に記憶された前記識別情報を更新し、
前記第１の記憶手段を初期化することを特徴とする請求項１１又は１２記載の充電装置。
【請求項１４】
前記充電装置は、前記アンテナを介して電磁波を放射して前記携帯端末装置に電気を供給する電源供給手段を有することを特徴とする請求項１１から１３のいずれか１項記載の充電装置。
【請求項１５】
無線通信を行う無線通信部、及び所定情報を記憶するメモリとを有する携帯端末装置と、前記所定情報の書き換え可能なＲＦＩＤ部、前記ＲＦＩＤ部のアンテナ、前記所定情報をバックアップする第１の記憶手段、及び前記携帯端末装置固有の識別情報を記憶する第２の記憶手段を有する外部記憶装置とを有する通信システムの通信方法において、
前記外部記憶装置は、
前記無線通信部と無線通信を行うとき、前記アンテナによって受信した前記携帯端末装置固有の識別情報と、前記第２の記憶手段に記憶された識別情報とが一致するか否かを判断する判断工程と、
前記判断工程によって、前記アンテナによって受信した識別情報と前記第２の記憶手段に記憶された識別情報とが一致すると判断されたとき、前記ＲＦＩＤ部は、前記アンテナによって受信した所定情報を前記記憶手段に格納する工程とを有することを特徴とする通信方法。
【請求項１６】
前記外部記憶装置は、
前記判断工程によって、前記アンテナによって受信した識別情報と前記第２の記憶手段に記憶された識別情報とが一致すると判断されたとき、前記ＲＦＩＤ部は前記アンテナを介して前記第１の記憶手段に記憶された前記所定情報を前記携帯端末装置に送信する工程を有することを特徴とする請求項１５記載の通信方法。
【請求項１７】
前記外部記憶装置は、
前記第１の記憶手段を初期化するとき、
前記ＲＦＩＤ部により前記アンテナから所定周波数の電波を発信して前記携帯端末装置固有の識別情報の送信を要求する工程と、
前記アンテナによって受信した前記携帯端末装置固有の識別情報により前記第２の記憶手段に記憶された前記識別情報を更新する工程と、
前記第１の記憶手段を初期化する工程とを有することを特徴とする請求項１５又は１６記載の通信方法。
【請求項１８】
無線通信を行う無線通信部、及び所定情報を記憶するメモリとを有する携帯端末装置と、前記所定情報の書き換え可能なＲＦＩＤ部、前記ＲＦＩＤ部のアンテナ、前記所定情報をバックアップする第１の記憶手段、及び前記携帯端末装置固有の識別情報を記憶する第２の記憶手段を有する充電装置とを有する通信システムの通信方法において、
前記充電装置は、
前記無線通信部と無線通信を行うとき、前記アンテナによって受信した前記携帯端末装置固有の識別情報と、前記第２の記憶手段に記憶された識別情報とが一致するか否かを判断する判断工程と、
前記判断工程によって、前記アンテナによって受信した識別情報と前記第２の記憶手段に記憶された識別情報とが一致すると判断されたとき、前記ＲＦＩＤ部は、前記アンテナによって受信した所定情報を前記記憶手段に格納する工程とを有することを特徴とする通信方法。
【請求項１９】
前記充電装置は、
前記判断工程によって、前記アンテナによって受信した識別情報と前記第２の記憶手段に記憶された識別情報とが一致すると判断されたとき、前記ＲＦＩＤ部は前記アンテナを介して前記第１の記憶手段に記憶された前記所定情報を前記携帯端末装置に送信する工程を有することを特徴とする請求項１８記載の通信方法。
【請求項２０】
前記充電装置は、
前記第１の記憶手段を初期化するとき、
前記ＲＦＩＤ部により前記アンテナから所定周波数の電波を発信して前記携帯端末装置固有の識別情報の送信を要求する工程と、
前記アンテナによって受信した前記携帯端末装置固有の識別情報により前記第２の記憶手段に記憶された前記識別情報を更新する工程と、
前記第１の記憶手段を初期化する工程とを有することを特徴とする請求項１８又は１９記載の通信方法。
【請求項２１】
前記携帯端末装置は、前記携帯端末装置に電力を供給する電池を有し、
前記充電装置は、前記アンテナを介して電磁波を放射して前記携帯端末装置に電気を供給する工程を有し、
前記携帯端末装置は、前記無線通信部を介して受信した前記電磁波を電気に変換して前記電池を充電する工程を有することを特徴とする請求項１８から２０のいずれか１項記載の通信方法。
【請求項２２】
無線通信を行う無線通信部、及び所定情報を記憶するメモリとを有する携帯端末装置と、前記所定情報の書き換え可能なＲＦＩＤ部、前記ＲＦＩＤ部のアンテナ、前記所定情報をバックアップする第１の記憶手段、及び前記携帯端末装置固有の識別情報を記憶する第２の記憶手段を有する外部記憶装置とを有する通信システムの通信プログラムにおいて、
前記外部記憶装置は、
前記無線通信部と無線通信を行うとき、前記アンテナによって受信した前記携帯端末装置固有の識別情報と、前記第２の記憶手段に記憶された識別情報とが一致するか否かを判断する判断処理と、
前記判断処理によって、前記アンテナによって受信した識別情報と前記第２の記憶手段に記憶された識別情報とが一致すると判断されたとき、前記ＲＦＩＤ部は、前記アンテナによって受信した所定情報を前記記憶手段に格納する処理とを有することを特徴とする通信プログラム。
【請求項２３】
前記外部記憶装置は、
前記判断処理によって、前記アンテナによって受信した識別情報と前記第２の記憶手段に記憶された識別情報とが一致すると判断されたとき、前記ＲＦＩＤ部は前記アンテナを介して前記第１の記憶手段に記憶された前記所定情報を前記携帯端末装置に送信する処理を有することを特徴とする請求項２２記載の通信プログラム。
【請求項２４】
前記外部記憶装置は、
前記第１の記憶手段を初期化するとき、
前記ＲＦＩＤ部により前記アンテナから所定周波数の電波を発信して前記携帯端末装置固有の識別情報の送信を要求する処理と、
前記アンテナによって受信した前記携帯端末装置固有の識別情報により前記第２の記憶手段に記憶された前記識別情報を更新する処理と、
前記第１の記憶手段を初期化する処理とを有することを特徴とする請求項２２又は２３記載の通信プログラム。
【請求項２５】
無線通信を行う無線通信部、及び所定情報を記憶するメモリとを有する携帯端末装置と、前記所定情報の書き換え可能なＲＦＩＤ部、前記ＲＦＩＤ部のアンテナ、前記所定情報をバックアップする第１の記憶手段、及び前記携帯端末装置固有の識別情報を記憶する第２の記憶手段を有する充電装置とを有する通信システムの通信プログラムにおいて、
前記充電装置は、
前記無線通信部と無線通信を行うとき、前記アンテナによって受信した前記携帯端末装置固有の識別情報と、前記第２の記憶手段に記憶された識別情報とが一致するか否かを判断する判断処理と、
前記判断処理によって、前記アンテナによって受信した識別情報と前記第２の記憶手段に記憶された識別情報とが一致すると判断されたとき、前記ＲＦＩＤ部は、前記アンテナによって受信した所定情報を前記記憶手段に格納する処理とを有することを特徴とする通信プログラム。
【請求項２６】
前記充電装置は、
前記判断処理によって、前記アンテナによって受信した識別情報と前記第２の記憶手段に記憶された識別情報とが一致すると判断されたとき、前記ＲＦＩＤ部は前記アンテナを介して前記第１の記憶手段に記憶された前記所定情報を前記携帯端末装置に送信する処理を有することを特徴とする請求項２５記載の通信プログラム。
【請求項２７】
前記充電装置は、
前記第１の記憶手段を初期化するとき、
前記ＲＦＩＤ部により前記アンテナから所定周波数の電波を発信して前記携帯端末装置固有の識別情報の送信を要求する処理と、
前記アンテナによって受信した前記携帯端末装置固有の識別情報により前記第２の記憶手段に記憶された前記識別情報を更新する処理と、
前記第１の記憶手段を初期化する処理とを有することを特徴とする請求項２５又は２６記載の通信プログラム。
【請求項２８】
前記携帯端末装置は、前記携帯端末装置に電力を供給する電池を有し、
前記充電装置は、前記アンテナを介して電磁波を放射して前記携帯端末装置に電気を供給する処理を有し、
前記携帯端末装置は、前記無線通信部を介して受信した前記電磁波を電気に変換して前記電池を充電する処理を有することを特徴とする請求項２５から２７のいずれか１項記載の通信プログラム。
【発明の詳細な説明】
【技術分野】
【０００１】
本発明は、通信システム、外部記憶装置、充電装置、通信方法、及び通信プログラムに関し、特に、携帯端末装置のバックアップ機能を有する通信システム、外部記憶装置、充電装置、通信方法、及び通信プログラムに関する。
【背景技術】
【０００２】
昨今、携帯端末装置内のメモリが増大し、アプリケーションや音楽などのコンテンツ、電話帳、メールなど大量のストレージが可能となった。一方、何らかの理由（携帯電話の故障、操作ミスなど）でこれらの情報が失われた場合のユーザの経済的、精神的損失は計り知れない。従って、手軽に安全に頻繁に携帯端末装置のメモリ内容をバックアップする技術が求められる。従来、携帯端末装置内のデータをＩ／Ｏコネクタ経由で、パーソナルコンピュータや外部記憶メモリにバックアップする方法や、無線を通してネットワークのストレージに保存する方法が提案された。しかしながら、いずれもセキュリティの問題や、バックアップの煩雑さが課題であり、無線を使う場合は通信速度と通信への課金も課題となるため、いずれも普及しなかった。
【０００３】
特許文献１では、電池で駆動する携帯端末において、非接触ＩＣカードや非接触ＩＣタグの電子情報を読み取るＲＦＩＤリーダライタ部と、ＲＦＩＤリーダライタ部が読み取った非接触ＩＣカードや非接触ＩＣタグの電子情報を保持しておくメモリ部と、電池の充電を制御する充電制御部を有し、非接触ＩＣカードや非接触ＩＣタグの電子情報を読み取るコイル型のアンテナと、電池を充電するときの外部電源を電磁結合で供給するためのコイルとを共有することにより、機器のさらなる小型を実現し、利便性を向上させた携帯端末が提案されている。
【０００４】
特許文献２では、外部電源としての電池部を備えたアダプタと電気的に接続するための第１のインタフェース手段と、追加の機能を実行する追加機能実行手段とを備え、第１のインタフェース手段を介してアダプタが接続されたときに、アダプタ内の電池部から追加機能実行手段の動作電源を供給可能なように構成することにより、携帯電話装置やオーディオ機器などを含む複数の電子機器の操作性を向上させるとともに、追加機能の動作によって携帯端末装置の電池を消耗してしまい、携帯端末装置を本来の目的で使用可能な時間が短くなってしまう不都合を防止する携帯端末装置および携帯端末装置用のアダプタが提案されている。
【０００５】
特許文献３では、携帯端末を載置するための載置部と、携帯端末に電力を供給する供給部と、載置部に載置された携帯端末から、携帯端末が保持しているデータを取り出す取得部と、取得したデータを格納する格納部とを備えることにより、載置部に携帯端末を載置することにより、充電とデータのバックアップを行うことができる充電装置が提案されている。
【０００６】
特許文献４では、主に自動車内に設置され、携帯電話機を保持する保持部と、自動車からの電源と接続される電源接続部と、携帯電話機と電気的に接続する電話接続部と、この電話接続部を介して携帯電話機のメモリ内に記憶されたデータを読み出すデータ読出部と、読み出したデータを記憶するデータ記憶部とを設けることにより、携帯電話機を保持して充電しながら有効に活用できるようにする携帯電話機用車載型クレードル装置、及び自動車、及び自動車のエンジン始動制御システム、及び携帯電話機が提案されている。
【０００７】
特許文献５では、無線通信機の通信情報メモリにアクセスしてデータの送受信を行うアクセス部と、アクセス部から受信したデータを記憶するメモリ部と、アクセス部から受信したデータとメモリ部が記憶しているデータとを照合し修正・追加データが有ればメモリ部の記憶内容を書き換えるデータ書き換え手段と、メモリ部が記憶している内容を文字あるいは記号等で表示する表示部及び／又はデータ信号を音声信号に変換し音声で知らせる音声制御部とを有し、無線通信機の通信情報メモリにアクセスして読み込んだデータを記憶するメモリを設けバックアップするとともに、音声制御部を設け、更新される修正・追加データを音声制御部によって音声で知らせる充電器が提案されている。
【特許文献１】特開２００１−３０７０３２号公報
【特許文献２】特開２００１−３０８９８０号公報
【特許文献３】特開２００３−０４６４２７号公報
【特許文献４】特開２００５−２７７６３２号公報
【特許文献５】特開平１１−２４３６４７号公報
【発明の開示】
【発明が解決しようとする課題】
【０００８】
しかし、上記の発明は以下の問題を有している。
【０００９】
特許文献１記載の携帯端末は、非接触ＲＦＩＤリーダライタ一体型携帯端末において、非接触ＲＦＩＤリーダライタのアンテナ、ホストコンピュータに通信を行うアンテナ、非接触充電を行うためのコイルを、これら二つ又は三つを共有して使っているが、携帯端末のデータをバックアップする充電装置との間で該データを送受信することができない。
【００１０】
特許文献２記載の携帯端末装置は、外部電源としての電池部を備えたアダプタと電気的に接続するための第１のインタフェース手段と、追加の機能を実行する追加機能実行手段とを備え、第１のインタフェース手段を介してアダプタが接続されたときに、アダプタ内の電池部から追加機能実行手段の動作電源を供給可能なように構成することにより、携帯端末装置内のデータのバックアップを実現しているが、携帯端末装置とアダプタとを一体化しなければ、データのバックアップをとることができない。
【００１１】
特許文献３記載の充電装置は、携帯端末を載置するための載置部と、携帯端末に電力を供給する供給部と、載置部に載置された携帯端末から、携帯端末が保持しているデータを取り出す取得部と、取得したデータを格納する格納部とを備えることにより、載置部に携帯端末を載置することにより、充電とデータのバックアップを行っているが、携帯端末の充電又は携帯端末に保持されるデータのバックアップを取る際、携帯端末を載置部に載置しなければならない。
【００１２】
特許文献４記載の携帯電話機用車載型クレードル装置は、主に自動車内に設置され、携帯電話機を保持する保持部と、自動車からの電源と接続される電源接続部と、携帯電話機と電気的に接続する電話接続部と、この電話接続部を介して携帯電話機のメモリ内に記憶されたデータを読み出すデータ読出部と、読み出したデータを記憶するデータ記憶部とを設けることにより、携帯電話機を保持して充電しながら有効に活用する技術が記載されているが、充電又は携帯電話機に格納されるデータのバックアップを取る際、携帯電話機を保持部に接続しなければならない。
【００１３】
特許文献５記載の充電器は、無線通信機の通信情報メモリにアクセスしてデータの送受信を行うアクセス部と、アクセス部から受信したデータを記憶するメモリ部と、アクセス部から受信したデータとメモリ部が記憶しているデータとを照合し修正・追加データが有ればメモリ部の記憶内容を書き換えるデータ書き換え手段と、メモリ部が記憶している内容を文字あるいは記号等で表示する表示部及び／又はデータ信号を音声信号に変換し音声で知らせる音声制御部とを有し、無線通信機の通信情報メモリにアクセスして読み込んだデータを記憶するメモリを設けバックアップすることができるが、携帯電話機を充電器に載置しなければ、データのバックアップを実行することができない。
【００１４】
そこで、本発明は、充電装置に記憶された識別情報と携帯端末装置から受信した識別情報とが一致しなかった場合に、充電装置のメモリアクセスを許可しないことにより、充電装置から無断にデータを読み出し、携帯端末装置にデータを格納して持ち出すことを防止することができる通信システム、外部記憶装置、充電装置、通信方法、及び通信プログラムを提案することを目的としている。
【課題を解決するための手段】
【００１５】
請求項１記載の発明は、無線通信を行う無線通信部、及び所定情報を記憶するメモリを有する携帯端末装置と、前記所定情報の書き換え可能なＲＦＩＤ部、前記ＲＦＩＤ部のアンテナ、及び前記所定情報をバックアップする第１の記憶手段を有する外部記憶装置とを有する通信システムにおいて、前記外部記憶装置は、前記携帯端末装置固有の識別情報を記憶する第２の記憶手段と、前記無線通信部と無線通信を行うとき、前記アンテナによって受信した前記携帯端末装置固有の識別情報と、前記第２の記憶手段に記憶された識別情報とが一致するか否かを判断する判断手段とを有し、前記判断手段によって、前記アンテナによって受信した識別情報と前記第２の記憶手段に記憶された識別情報とが一致すると判断されたとき、前記ＲＦＩＤ部は、前記アンテナによって受信した所定情報を前記記憶手段に格納することを特徴とする。
【００１６】
請求項２記載の発明は、請求項１記載の通信システムにおいて、前記外部記憶装置は、前記判断手段によって、前記アンテナによって受信した識別情報と前記第２の記憶手段に記憶された識別情報とが一致すると判断されたとき、前記ＲＦＩＤ部は前記アンテナを介して前記第１の記憶手段に記憶された前記所定情報を前記携帯端末装置に送信することを特徴とする。
【００１７】
請求項３記載の発明は、請求項１又は２記載の通信システムにおいて、前記外部記憶装置は、前記第１の記憶手段を初期化するとき、前記ＲＦＩＤ部は前記アンテナから所定周波数の電波を発信して前記携帯端末装置固有の識別情報の送信を要求し、前記アンテナによって受信した前記携帯端末装置固有の識別情報により前記第２の記憶手段に記憶された前記識別情報を更新し、前記第１の記憶手段を初期化することを特徴とする。
【００１８】
請求項４記載の発明は、無線通信を行う無線通信部、及び所定情報を記憶するメモリを有する携帯端末装置と、前記所定情報の書き換え可能なＲＦＩＤ部、前記ＲＦＩＤ部のアンテナ、及び前記所定情報をバックアップする第１の記憶手段を有する充電装置とを有する通信システムにおいて、前記充電装置は、前記携帯端末装置固有の識別情報を記憶する第２の記憶手段と、前記無線通信部と無線通信を行うとき、前記アンテナによって受信した前記携帯端末装置固有の識別情報と、前記第２の記憶手段に記憶された識別情報とが一致するか否かを判断する判断手段とを有し、前記判断手段によって、前記アンテナによって受信した識別情報と前記第２の記憶手段に記憶された識別情報とが一致すると判断されたとき、前記ＲＦＩＤ部は、前記アンテナによって受信した所定情報を前記記憶手段に格納することを特徴とする。
【００１９】
請求項５記載の発明は、請求項４記載の通信システムにおいて、前記充電装置は、前記判断手段によって、前記アンテナによって受信した識別情報と前記第２の記憶手段に記憶された識別情報とが一致すると判断されたとき、前記ＲＦＩＤ部は前記アンテナを介して前記第１の記憶手段に記憶された前記所定情報を前記携帯端末装置に送信することを特徴とする。
【００２０】
請求項６記載の発明は、請求項４又は５記載の通信システムにおいて、前記充電装置は、前記第１の記憶手段を初期化するとき、前記ＲＦＩＤ部は前記アンテナから所定周波数の電波を発信して前記携帯端末装置固有の識別情報の送信を要求し、前記アンテナによって受信した前記携帯端末装置固有の識別情報により前記第２の記憶手段に記憶された前記識別情報を更新し、前記第１の記憶手段を初期化することを特徴とする。
【００２１】
請求項７記載の発明は、請求項４から６のいずれか１項記載の通信システムにおいて、前記充電装置は、前記アンテナを介して電磁波を放射して前記携帯端末装置に電気を供給する電源供給手段を有し、前記携帯端末装置は、前記携帯端末装置に電力を供給する電池と、前記無線通信部を介して受信した前記電磁波を電気に変換して前記電池を充電する充電制御手段とを有することを特徴とする。
【００２２】
請求項８記載の発明は、所定情報の書き換え可能なＲＦＩＤ部と、前記ＲＦＩＤ部のアンテナと、前記所定情報をバックアップする第１の記憶手段と有する外部記憶装置において、携帯端末装置固有の識別情報を記憶する第２の記憶手段と、前記携帯端末装置と無線通信を行うとき、前記アンテナによって受信した前記携帯端末装置固有の識別情報と、前記第２の記憶手段に記憶された識別情報とが一致するか否かを判断する判断手段とを有し、前記判断手段によって、前記アンテナによって受信した識別情報と前記第２の記憶手段に記憶された識別情報とが一致すると判断されたとき、前記ＲＦＩＤ部は、前記アンテナによって受信した所定情報を前記記憶手段に格納することを特徴とする。
【００２３】
請求項９記載の発明は、請求項８記載の外部記憶装置において、前記判断手段によって、前記アンテナによって受信した識別情報と前記第２の記憶手段に記憶された識別情報とが一致すると判断されたとき、前記ＲＦＩＤ部は前記アンテナを介して前記第１の記憶手段に記憶された前記所定情報を前記携帯端末装置に送信することを特徴とする。
【００２４】
請求項１０記載の発明は、請求項８又は９記載の外部記憶装置において、前記第１の記憶手段を初期化するとき、前記ＲＦＩＤ部は前記アンテナから所定周波数の電波を発信して前記携帯端末装置固有の識別情報の送信を要求し、前記アンテナによって受信した前記携帯端末装置固有の識別情報により前記第２の記憶手段に記憶された前記識別情報を更新し、前記第１の記憶手段を初期化することを特徴とする。
【００２５】
請求項１１記載の発明は、所定情報の書き換え可能なＲＦＩＤ部と、前記ＲＦＩＤ部のアンテナと、前記所定情報をバックアップする第１の記憶手段と有する充電装置において、携帯端末装置固有の識別情報を記憶する第２の記憶手段と、前記携帯端末装置と無線通信を行うとき、前記アンテナによって受信した前記携帯端末装置固有の識別情報と、前記第２の記憶手段に記憶された識別情報とが一致するか否かを判断する判断手段とを有し、前記判断手段によって、前記アンテナによって受信した識別情報と前記第２の記憶手段に記憶された識別情報とが一致すると判断されたとき、前記ＲＦＩＤ部は、前記アンテナによって受信した所定情報を前記記憶手段に格納することを特徴とする。
【００２６】
請求項１２記載の発明は、請求項１１記載の充電装置において、前記判断手段によって、前記アンテナによって受信した識別情報と前記第２の記憶手段に記憶された識別情報とが一致すると判断されたとき、前記ＲＦＩＤ部は前記アンテナを介して前記第１の記憶手段に記憶された前記所定情報を前記携帯端末装置に送信することを特徴とする。
【００２７】
請求項１３記載の発明は、請求項１１又は１２記載の充電装置において、前記第１の記憶手段を初期化するとき、前記ＲＦＩＤ部は前記アンテナから所定周波数の電波を発信して前記携帯端末装置固有の識別情報の送信を要求し、前記アンテナによって受信した前記携帯端末装置固有の識別情報により前記第２の記憶手段に記憶された前記識別情報を更新し、前記第１の記憶手段を初期化することを特徴とする。
【００２８】
請求項１４記載の発明は、請求項１１から１３のいずれか１項記載の充電装置において、前記充電装置は、前記アンテナを介して電磁波を放射して前記携帯端末装置に電気を供給する電源供給手段を有することを特徴とする。
【００２９】
請求項１５記載の発明は、無線通信を行う無線通信部、及び所定情報を記憶するメモリとを有する携帯端末装置と、前記所定情報の書き換え可能なＲＦＩＤ部、前記ＲＦＩＤ部のアンテナ、前記所定情報をバックアップする第１の記憶手段、及び前記携帯端末装置固有の識別情報を記憶する第２の記憶手段を有する外部記憶装置とを有する通信システムの通信方法において、前記外部記憶装置は、前記無線通信部と無線通信を行うとき、前記アンテナによって受信した前記携帯端末装置固有の識別情報と、前記第２の記憶手段に記憶された識別情報とが一致するか否かを判断する判断工程と、前記判断工程によって、前記アンテナによって受信した識別情報と前記第２の記憶手段に記憶された識別情報とが一致すると判断されたとき、前記ＲＦＩＤ部は、前記アンテナによって受信した所定情報を前記記憶手段に格納する工程とを有することを特徴とする。
【００３０】
請求項１６記載の発明は、請求項１５記載の通信方法において、前記外部記憶装置は、前記判断工程によって、前記アンテナによって受信した識別情報と前記第２の記憶手段に記憶された識別情報とが一致すると判断されたとき、前記ＲＦＩＤ部は前記アンテナを介して前記第１の記憶手段に記憶された前記所定情報を前記携帯端末装置に送信する工程を有することを特徴とする。
【００３１】
請求項１７記載の発明は、請求項１５又は１６記載の通信方法において、前記外部記憶装置は、前記第１の記憶手段を初期化するとき、前記ＲＦＩＤ部により前記アンテナから所定周波数の電波を発信して前記携帯端末装置固有の識別情報の送信を要求する工程と、前記アンテナによって受信した前記携帯端末装置固有の識別情報により前記第２の記憶手段に記憶された前記識別情報を更新する工程と、前記第１の記憶手段を初期化する工程とを有することを特徴とする。
【００３２】
請求項１８記載の発明は、無線通信を行う無線通信部、及び所定情報を記憶するメモリとを有する携帯端末装置と、前記所定情報の書き換え可能なＲＦＩＤ部、前記ＲＦＩＤ部のアンテナ、前記所定情報をバックアップする第１の記憶手段、及び前記携帯端末装置固有の識別情報を記憶する第２の記憶手段を有する充電装置とを有する通信システムの通信方法において、前記充電装置は、前記無線通信部と無線通信を行うとき、前記アンテナによって受信した前記携帯端末装置固有の識別情報と、前記第２の記憶手段に記憶された識別情報とが一致するか否かを判断する判断工程と、前記判断工程によって、前記アンテナによって受信した識別情報と前記第２の記憶手段に記憶された識別情報とが一致すると判断されたとき、前記ＲＦＩＤ部は、前記アンテナによって受信した所定情報を前記記憶手段に格納する工程とを有することを特徴とする。
【００３３】
請求項１９記載の発明は、請求項１８記載の通信方法において、前記充電装置は、前記判断工程によって、前記アンテナによって受信した識別情報と前記第２の記憶手段に記憶された識別情報とが一致すると判断されたとき、前記ＲＦＩＤ部は前記アンテナを介して前記第１の記憶手段に記憶された前記所定情報を前記携帯端末装置に送信する工程を有することを特徴とする。
【００３４】
請求項２０記載の発明は、請求項１８又は１９記載の通信方法において、前記充電装置は、前記第１の記憶手段を初期化するとき、前記ＲＦＩＤ部により前記アンテナから所定周波数の電波を発信して前記携帯端末装置固有の識別情報の送信を要求する工程と、前記アンテナによって受信した前記携帯端末装置固有の識別情報により前記第２の記憶手段に記憶された前記識別情報を更新する工程と、前記第１の記憶手段を初期化する工程とを有することを特徴とする。
【００３５】
請求項２１記載の発明は、請求項１８から２０のいずれか１項記載の通信方法において、前記携帯端末装置は、前記携帯端末装置に電力を供給する電池を有し、前記充電装置は、前記アンテナを介して電磁波を放射して前記携帯端末装置に電気を供給する工程を有し、前記携帯端末装置は、前記無線通信部を介して受信した前記電磁波を電気に変換して前記電池を充電する工程を有することを特徴とする。
【００３６】
請求項２２記載の発明は、無線通信を行う無線通信部、及び所定情報を記憶するメモリとを有する携帯端末装置と、前記所定情報の書き換え可能なＲＦＩＤ部、前記ＲＦＩＤ部のアンテナ、前記所定情報をバックアップする第１の記憶手段、及び前記携帯端末装置固有の識別情報を記憶する第２の記憶手段を有する外部記憶装置とを有する通信システムの通信プログラムにおいて、前記外部記憶装置は、前記無線通信部と無線通信を行うとき、前記アンテナによって受信した前記携帯端末装置固有の識別情報と、前記第２の記憶手段に記憶された識別情報とが一致するか否かを判断する判断処理と、前記判断処理によって、前記アンテナによって受信した識別情報と前記第２の記憶手段に記憶された識別情報とが一致すると判断されたとき、前記ＲＦＩＤ部は、前記アンテナによって受信した所定情報を前記記憶手段に格納する処理とを有することを特徴とする。
【００３７】
請求項２３記載の発明は、請求項２２記載の通信プログラムにおいて、前記外部記憶装置は、前記判断処理によって、前記アンテナによって受信した識別情報と前記第２の記憶手段に記憶された識別情報とが一致すると判断されたとき、前記ＲＦＩＤ部は前記アンテナを介して前記第１の記憶手段に記憶された前記所定情報を前記携帯端末装置に送信する処理を有することを特徴とする。
【００３８】
請求項２４記載の発明は、請求項２２又は２３記載の通信プログラムにおいて、前記外部記憶装置は、前記第１の記憶手段を初期化するとき、前記ＲＦＩＤ部により前記アンテナから所定周波数の電波を発信して前記携帯端末装置固有の識別情報の送信を要求する処理と、前記アンテナによって受信した前記携帯端末装置固有の識別情報により前記第２の記憶手段に記憶された前記識別情報を更新する処理と、前記第１の記憶手段を初期化する処理とを有することを特徴とする。
【００３９】
請求項２５記載の発明は、無線通信を行う無線通信部、及び所定情報を記憶するメモリとを有する携帯端末装置と、前記所定情報の書き換え可能なＲＦＩＤ部、前記ＲＦＩＤ部のアンテナ、前記所定情報をバックアップする第１の記憶手段、及び前記携帯端末装置固有の識別情報を記憶する第２の記憶手段を有する充電装置とを有する通信システムの通信プログラムにおいて、前記充電装置は、前記無線通信部と無線通信を行うとき、前記アンテナによって受信した前記携帯端末装置固有の識別情報と、前記第２の記憶手段に記憶された識別情報とが一致するか否かを判断する判断処理と、前記判断処理によって、前記アンテナによって受信した識別情報と前記第２の記憶手段に記憶された識別情報とが一致すると判断されたとき、前記ＲＦＩＤ部は、前記アンテナによって受信した所定情報を前記記憶手段に格納する処理とを有することを特徴とする。
【００４０】
請求項２６記載の発明は、請求項２５記載の通信プログラムにおいて、前記充電装置は、前記判断処理によって、前記アンテナによって受信した識別情報と前記第２の記憶手段に記憶された識別情報とが一致すると判断されたとき、前記ＲＦＩＤ部は前記アンテナを介して前記第１の記憶手段に記憶された前記所定情報を前記携帯端末装置に送信する処理を有することを特徴とする。
【００４１】
請求項２７記載の発明は、請求項２５又は２６記載の通信プログラムにおいて、前記充電装置は、前記第１の記憶手段を初期化するとき、前記ＲＦＩＤ部により前記アンテナから所定周波数の電波を発信して前記携帯端末装置固有の識別情報の送信を要求する処理と、前記アンテナによって受信した前記携帯端末装置固有の識別情報により前記第２の記憶手段に記憶された前記識別情報を更新する処理と、前記第１の記憶手段を初期化する処理とを有することを特徴とする。
【００４２】
請求項２８記載の発明は、請求項２５から２７のいずれか１項記載の通信プログラムにおいて、前記携帯端末装置は、前記携帯端末装置に電力を供給する電池を有し、前記充電装置は、前記アンテナを介して電磁波を放射して前記携帯端末装置に電気を供給する処理を有し、前記携帯端末装置は、前記無線通信部を介して受信した前記電磁波を電気に変換して前記電池を充電する処理を有することを特徴とする。
【発明の効果】
【００４３】
本発明は、本発明は、充電装置に記憶された識別情報と携帯端末装置から受信した識別情報とが一致しなかった場合に、充電装置のメモリアクセスを許可しないことにより、充電装置から無断にデータを読み出し、携帯端末装置にデータを格納して持ち出すことを防止することができる。
【発明を実施するための最良の形態】
【００４４】
以下、本発明の一実施形態に係わる通信システム、及び外部記憶装置の構成及び動作について説明する。
【００４５】
本システムは、携帯端末装置１００と、外部記憶装置を有する充電装置２００とにより構成される。本実施形態においては、書き換え可能で電源無しに外部から非接触通信により読み取れるデバイスとしてＲＦＩＤ（Radio Frequency Identification）を用いた場合を例に説明する。
【００４６】
携帯端末装置１００は、制御部３、保持情報の書き換え可能なＲＦＩＤ部４、ＲＦＩＤ部４のアンテナ５、記憶部６、操作部７、表示部８、バッテリ９から構成される。記憶部６には、相手先名とその電話番号を示す電話帳情報及び電話やメール等の発着信履歴情報等を含む所定の情報が記憶されている。
【００４７】
アンテナ５は、携帯端末装置１００内に内蔵してあるバッテリ９を充電するときに、外部から電源を供給する必要がある。かかる場合、外部から電源を供給する方法として電磁結合を用い、電源を供給する装置として充電装置２００があり、充電装置２００から送られてきた電流を携帯端末装置１００内に取り込む機能を有する。なお、本実施形態においては、外部から電源を供給する方法として電磁結合による非接触の充電方法を用いたが、充電装置２００に接続して電源を供給することも可能である。
【００４８】
携帯端末装置１００はコードレスとして使われるため、携帯端末装置１００を動作させるために必要な電気を供給する装置として、携帯端末装置１００内に電気を供給する装置として充電装置２００がある。充電装置２００は、電磁結合を用いて携帯端末装置１００に充電用の電力を供給する。携帯端末装置１００は、電力供給部９から放射された電磁波をアンテナ５で電気に変換し、携帯端末装置１００に電気を取り入れる。アンテナ５から供給されてきた電気は、制御部３の制御によりバッテリ９に供給され、バッテリ９は繰り返しの使用が可能となる。
【００４９】
充電装置２００は、制御部２３、記憶部２４、操作部２５、表示部２６、保持情報の書き換え可能なＲＦＩＤ部２７、ＲＦＩＤ部２７のアンテナ２８、電力供給部２９から構成される。記憶部２４には、種々のトラブルによる破壊や紛失などに備えて、記憶部６に記憶されたデータが記憶されている。
【００５０】
電力供給部２９は、携帯端末装置１００内に内蔵してあるバッテリ９を充電するために電磁結合により携帯端末装置１００に電気を供給する機能を有する。なお、本実施形態においては、バッテリ９を充電する方法として、電磁波を放射して電気を供給する方法を用いたが、携帯端末装置１００と接続して電気を供給することも可能である。
【００５１】
次に、本実施形態に係わる通信システムの動作について説明する。
【００５２】
まず、充電装置２００を初期化する動作について図２に示すフローチャートを用いて説明する。
【００５３】
充電装置２００を初期化するとき、充電装置２００の操作部２５からの初期化を要求する（ステップＳ２０１）。初期化機能が起動されると、ＲＦＩＤ部２７はアンテナ２８を介して所定周波数の電波を発信する（ステップＳ２０２）。携帯端末装置１００は、充電装置２００から発信された電波をアンテナ５で受信する（ステップＳ２０３）。これにより、携帯端末装置１００のＲＦＩＤ部４に電力が発生し、ＲＦＩＤ部４はこの電力を利用して記憶部６に記憶されている携帯端末装置１００固有の識別情報（例えば、ＩＭＥＩ番号やＳＩＭカード番号）を充電装置２００のアンテナ２８へ送信する（ステップＳ２０４）。携帯端末装置１００固有の識別情報を受け取った充電装置２００は、記憶部２４を初期化し、受信した携帯端末装置１００固有の識別情報を書き込む（ステップＳ２０５）。
【００５４】
次に、充電装置２００の記憶部２４に格納されたデータを書き込み・読み出しする動作について図３に示すフローチャートを用いて説明する。
【００５５】
充電装置２００に記憶されたデータを操作するとき、携帯端末装置１００の操作部７から充電装置２００に記憶されたデータの読み出し・書き込みを要求する（ステップＳ３０１）。データの読み出し・書き込み機能が起動されると、携帯端末装置１００はＲＦＩＤ部４より所定周波数の電波をアンテナ５から充電装置２００へ発信する（ステップＳ３０２）。充電装置２００は、携帯端末装置１００から発信された電波をアンテナ２８で受信する（ステップＳ３０３）。これにより、充電装置１００のＲＦＩＤ部２７に電力が発生し、ＲＦＩＤ部２７は、この電力を利用して記憶部２４に記憶されているデータの送信が可能な状態となり、送信動作の要求を待って待機する（ステップＳ３０４）。次に、携帯端末装置１００は、自装置固有の識別情報をＲＦＩＤ部４よりアンテナ５を介して充電装置２００へ発信する（ステップＳ３０５）。充電装置は、アンテナ２８を介して携帯端末装置１００固有の識別情報を受信し（ステップＳ３０６）、記憶部２４に格納されている識別情報と、受信した識別情報とが一致するか否かを判断する（ステップＳ３０７）。記憶部２４に格納された識別情報と、受信した識別情報とが一致しなかった場合は（ステップＳ３０７／ＮＯ）、記憶部２４のデータの読み出し・書き込み動作は実行されずに終了する。一方、記憶部２４に格納された識別情報と、受信した識別情報とが一致した場合は（ステップＳ３０７／ＹＥＳ）、記憶部２４のデータの読み出し・書き込み動作が実行される（ステップＳ３０８）。なお、記憶部２４から読み出されたデータは、ＲＦＩＤ部２７よりアンテナ２８を介して携帯端末装置１００のアンテナ５へ送信される。一方、記憶部２４に書き込まれるデータは、ＲＦＩＤ部４よりアンテナ５を介して充電装置２００へ発信され、アンテナ２８で受信されたデータはＲＦＩＤ部２７に発生した電力を用いて記憶部２４に格納される。
【００５６】
本処理によれば、充電装置２００に記憶された識別情報と携帯端末装置１００から受信した識別情報とが一致しなかった場合に、充電装置２００のメモリアクセスを許可しないため、充電装置２００から無断にデータを読み出し、携帯端末装置１００にデータを格納して持ち出すことを防止することができる。
【００５７】
次に、携帯端末装置１００に記憶されたデータを充電装置２００にバックアップする動作について図４に示すフローチャートを用いて説明する。
【００５８】
ユーザは、携帯端末装置１００の操作部７から記憶部６に記憶されたデータのバックアップを要求する（ステップＳ４０１）。データのバックアップ機能が起動されると、携帯端末装置１００はＲＦＩＤ部４より所定周波数の電波をアンテナ５から充電装置２００へ発信する（ステップＳ４０２）。充電装置２００は、携帯端末装置１００から発信された電波をアンテナ２８で受信する（ステップＳ４０３）。これにより、充電装置１００のＲＦＩＤ部２７に電力が発生し、ＲＦＩＤ部２７は、この電力を利用して記憶部２４に記憶されているデータの送信が可能な状態となり、送信動作の要求を待って待機する（ステップＳ４０４）。次に、携帯端末装置１００は、自装置固有の識別情報をＲＦＩＤ部４よりアンテナ５を介して充電装置２００へ発信する（ステップＳ４０５）。充電装置は、アンテナ２８を介して携帯端末装置１００固有の識別情報を受信し（ステップＳ４０６）、記憶部２４に格納されている識別情報と、受信した識別情報とが一致するか否かを判断する（ステップＳ４０７）。記憶部２４に格納された識別情報と、受信した識別情報とが一致しなかった場合は（ステップＳ４０７／ＮＯ）、記憶部６のバックアップ動作は実行されずに終了する。一方、記憶部２４に格納された識別情報と、受信した識別情報とが一致した場合は（ステップＳ４０７／ＹＥＳ）、記憶部６のバックアップ動作が実行される（ステップＳ４０８）。なお、記憶部６のバックアップされるデータは、ＲＦＩＤ部４よりアンテナ５を介して充電装置２００へ発信され、アンテナ２８で受信したデータはＲＦＩＤ部２７に発生した電力を用いて記憶部２４に格納される。
【００５９】
本処理によれば、携帯端末装置１００及び充電装置２００のそれぞれに記憶された携帯端末装置１００固有の識別情報とが一致するか否かを確認した上で、携帯端末装置１００に記憶されたデータのバックアップ動作が実行されるため、携帯端末装置１００に記憶されたデータ無断で充電装置２００へ格納されることを防止できる。
【００６０】
充電台や卓上ホルダ、車載ホルダなどは、一日一回は携帯電話を置くものである。従って、本発明による携帯端末装置と充電装置を用いることで、ユーザは従来困難であったセキュリティフリーに、手軽に、シームレスに、そして頻繁にメモリのバックアップを取ることが可能となる。また、さらに充電台に大容量メモリを備え、携帯電話に充電台内部のメモリを操作するためのアプリケーションを備えることで、セキュリティフリーに、手軽に外部ストレージをも得ることが出来る。
【図面の簡単な説明】
【００６１】
【図１】本実施形態に係わる通信システムの構成を示すブロック図である。
【図２】充電装置の初期化動作を示すフローチャートである。
【図３】充電装置の読み出し・書き込み動作を示すフローチャートである。
【図４】携帯端末装置のバックアップ動作を示すフローチャートである。
【符号の説明】
【００６２】
３    制御部
４    ＲＦＩＤ部
６    記憶部
７    操作部
８    表示部
９    バッテリ
１００    携帯端末装置
２００    充電装置
【図１】
2007249305.tif 000003
【図２】
2007249305.tif 000004
【図３】
2007249305.tif 000005
【図４】
2007249305.tif 000006